(57)【要約】      （修正有）【課題】複数のコンピュータ間データ伝送機能を具備するコンピュータ切換え器を提供する。【解決手段】アップリンクポート１０１０，１０２０及び複数のダウンリンクポート１０１０〜１０１３及び１０２０〜１０２３を有し、前記アップリンクポートはコンピュータシステムに接続され、前記複数のダウンリンクポートは少なくとも一つの第一ダウンリンクポート及び少なくとも一つの第二ダウンリンクポートを含む複数のハブユニットと、任意の２つのハブユニットの第一ダウンリンクポートに接続され、データ交換信号に基づき、当該２つのハブユニットが接続しているコンピュータシステム間のデータを伝送する少なくとも一つのデータ伝送制御ユニットと、少なくとも一つの第一共有周辺機器、及び前記複数のハブユニットが有する第二ダウンリンクポートに接続され、切換えによって、前記第一共有周辺機器を一度に前記複数のハブユニットの何れかに接続させる切換えインターフェイス制御ユニットとを備える。【選択図】図２
0003144737.tif 000002
【実用新案登録請求の範囲】
【請求項１】
コンピュータ間データ伝送機能を具備するコンピュータ切換え器において、
それぞれアップリンクポート及び複数のダウンリンクポートを有し、前記複数のダウンリンクポートは少なくとも一つの第一ダウンリンクポート及び少なくとも一つの第二ダウンリンクポートを含み、前記アップリンクポートはコンピュータシステムに接続される複数のハブユニットと、
前記複数のハブユニットのうち、任意の２つのハブユニットの第一ダウンリンクポートに接続され、データ交換信号に基づき、当該２つのハブユニットが接続しているコンピュータシステム間のデータを伝送する少なくとも一つのデータ伝送制御ユニットと、
少なくとも一つの第一共有周辺機器、及び前記複数のハブユニットが有する第二ダウンリンクポートに接続され、切換えによって、前記第一共有周辺機器を一度に前記複数のハブユニットの何れか一つに接続させる切換えインターフェイス制御ユニットと、を備えることを特徴とするコンピュータ間データ伝送機能を具備するコンピュータ切換え器。
【請求項２】
前記複数のコンピュータシステムは、
前記データ交換信号を発しさせ、データ交換信号に対応する接続しているデータ伝送制御ユニットへ当該データ交換信号を提供するための操作インターフェイスをそれぞれ備えることを特徴とする請求項１に記載したコンピュータ間データ伝送機能を具備するコンピュータ切換え器。
【請求項３】
前記複数のハブユニットはＵＳＢハブユニットであることを特徴とする請求項２に記載したコンピュータ間データ伝送機能を具備するコンピュータ切換え器。
【請求項４】
前記複数のデータ伝送制御ユニットは、さらに、
前記２つのハブユニットの何れか一つに接続され、且つ当該接続されたハブユニットを介して第一コンピュータシステムに接続され、データ伝送を行うための第一ＵＳＢ制御ユニットと、
前記２つのハブユニットの何れか一つに接続され、且つ当該接続されたハブユニットを介して第二コンピュータシステムに接続され、データ伝送を行うための第二ＵＳＢ制御ユニットと、
前記第一ＵＳＢ制御ユニット及び前記第二ＵＳＢ制御ユニットに接続され、且つ前記第一コンピュータシステム及び前記第二コンピュータシステムの間に伝送されるデータをバッファ伝送するバッファユニットと、を備えることを特徴とする請求項３に記載したコンピュータ間データ伝送機能を具備するコンピュータ切換え器。
【請求項５】
コンピュータ間データ伝送機能を具備するコンピュータ切換え器において、
それぞれアップリンクポート及び複数のダウンリンクポートを有し、前記複数のダウンリンクポートは少なくとも一つの第一ダウンリンクポート及び少なくとも一つの第二ダウンリンクポートを含み、前記アップリンクポートはコンピュータシステムに接続される複数のハブユニットと、
少なくとも一つのフラッシュメモリーと、
前記複数のハブユニットのうち、任意の２つのハブユニットが有する第一ダウンリンクポートにそれぞれ接続されると共に前記フラッシュメモリーに接続され、前記データ交換信号に基づき、前記フラッシュメモリーを介して前記２つのハブユニットが接続されているコンピュータシステム間のデータを伝送する少なくとも一つのデータ伝送制御ユニットと、
少なくとも一つの第一共有周辺機器及び前記複数のハブユニットが有する第二ダウンリンクポートに接続され、切換えによって、前記少なくとも一つの第一共有周辺機器を一度に前記複数のハブユニットの何れか一つに接続させる切換えインターフェイス制御ユニットと、を備えることを特徴とするコンピュータ間データ伝送機能を具備するコンピュータ切換え器。
【請求項６】
前記複数のコンピュータシステムは、
前記データ交換信号を発生させ、データ交換信号に対応する接続しているデータ伝送制御ユニットへ当該データ交換信号を提供するための操作インターフェイスをそれぞれ備えることを特徴とする請求項５に記載するコンピュータ間データ伝送機能を具備するコンピュータ切換え器。
【請求項７】
前記データ伝送制御ユニットは、さらに、
前記２つのハブユニットの何れか一つに接続され、且つ当該接続されたハブユニットを介して第一コンピュータシステムに接続される第一トランシーバーと、
前記２つのハブユニットの何れか一つに接続され、且つ当該接続されたハブユニットを介して第二コンピュータシステムに接続される第二トランシーバーと、
前記第一トランシーバー及び前記第二トランシーバーの動作を制御し、且つ前記フラッシュメモリーによるデータ交換と一時保存により、前記第一コンピュータシステム及び前記第二コンピュータシステム間のデータ伝送をするマイクロプロセッサユニットと、を備えることを特徴とする請求項６に記載したコンピュータ間データ伝送機能を具備するコンピュータ切換え器。
【考案の詳細な説明】
【技術分野】
【０００１】
本考案は、コンピュータ切換え器に関し、特に、複数のコンピュータの間のデータ伝送の機能を持つコンピュータ切換え器に関する。
【背景技術】
【０００２】
科学技術の急速な発展に伴い、コンピュータの普及率も大幅に上昇している。ユーザーが複数のコンピュータシステムを所有し、しかも同一の周辺機器（コンソールデバイスともいう）を共有する場合、コンピュータ切換え器、いわゆるＫＶＭ（Ｋｅｙｂｏａｒｄ  Ｖｉｄｅｏ  Ｍｏｕｓｅ）スイッチを使用し、切換えを制御する必要がある。このＫＶＭスイッチを用いることにより、複数のコンピュータシステムにおいてそれぞれの周辺機器を別々に接続する必要がなくなるとともに、大幅に空間を節約することができる。
【０００３】
図１は従来のコンピュータ切換え器の応用図である。図示するように、コンピュータ切換え器５０が２ポート設計を採用する場合、その一端は第一コンピュータシステム６１及び第二コンピュータシステムに接続し、他端は、例えばキーボード、マウス、ディスプレイ、アンプ及びマイクなどのような周辺機器７０に接続する。従って、ユーザーがコンピュータ切換え器５０の切換により、同一の複数周辺機器７０を、切換えられたコンピュータシステムに接続して使用することができる。
【０００４】
確かに現在のコンピュータ切換え器は大幅に空間を節約し、ユーザーが複数のコンピュータシステムを所有する場合、各コンピュータシステムにそれぞれの周辺機器を購入する必要がなくなる。しかしながら、現在は、パソコンの使用にあたり、ユーザーは経常的に大量のデータ伝送、交換及びバックアップ等を行わなければならない。よって、ユーザーがコンピュータ切換え器による接続法で各コンピュータシステムを操作する場合、一台のコンピュータシステムのデータを別のコンピュータに伝送する際、非常に煩わしい。
【０００５】
現在、比較的よく使用されている方式はおおむね以下の数種である。
一つはサードパーティー外付け周辺機器（ＵＳＢメモリー、外付けハードディスク等）を通して伝送保存する方法であり、それは、ユーザーが先ず一台のコンピュータで第三外付け周辺機器にデータをコピーして保存し、続いてコンピュータ切換え器で別のコンピュータに切換え、データをペーストする方法である。
その他の方法は、各コンピュータシステムをすべてインターネットに接続し、各々のコンピュータシステムでインターネットプロトコルの設定をし、さらにフォルダ共有等の機能を設定することにより、コンピュータ間のデータ伝送を行う方法である。
さらに別の方法は、例えばブルートゥース、赤外線等のトランスファープロトコルである近距離無線通信（ＲＦ）の方式で伝送するものである。この方式を採用しようとするとき、２台のコンピュータシステムにそれぞれ無線通信伝送をサポートするモジュールを持つことが不可欠な条件であり、さらに、接続時に双方の認証を行わなければ、データを伝送することができない。
【０００６】
上記した従来の方法は、現在のコンピュータ切換え器使用の機構では、ユーザーがデータの伝送を行う際に、不便な点が多々ある。特に使用時にユーザーは絶えずコンピュータ切換え器で切換えを行い、切換えによって異なるコンピュータ間のデータ伝送、交換、またはバックアップを行わなければならない。このように操作使用上不便なため、改良の余地が残されている。
【考案の開示】
【考案が解決しようとする課題】
【０００７】
本考案が解決しようとする課題は、コンピュータ切換え器の構造をハブ増設及びデータ伝送チップのハードウェア構造の設計によって改良し、且つプログラムインターフェイスとあわせて使用することである。ユーザーがコンピュータ切換え器に複数のコンピュータを接続する場合、単一のコンピュータで操作を行うだけで、即時に相互間のデータ伝送を行えるようにし、異なるコンピュータ間のデータを即時に伝送することを目的とする。
【課題を解決するための手段】
【０００８】
上記目的を達するため、本考案によるコンピュータ間データ伝送機能を具備するコンピュータ切換え器は、複数のハブユニットと、少なくとも一つのデータ伝送制御ユニットと、切換えインターフェイス制御ユニットと、を備える。
前記複数のハブユニットは、それぞれアップリンクポート及び複数のダウンリンクポートを有し、前記アップリンクポートはコンピュータシステムに接続され、前記複数のダウンリンクポートは少なくとも一つの第一ダウンリンクポート及び少なくとも一つの第二ダウンリンクポートを含む。
前記少なくとも一つのデータ伝送制御ユニットは、前記複数のハブユニットのうち、任意の２つのハブユニットが有する第一ダウンリンクポートに接続され、且つデータ交換信号に基づき、当該２つのハブユニットが接続しているコンピュータシステム間のデータを伝送する。
また、前記切換えインターフェイス制御ユニットは、少なくとも一つの第一共有周辺機器及び前記複数のハブユニットが有する第二ダウンリンクポートに接続され、切換えによって、前記少なくとも一つの第一共有周辺機器を一度に前記複数のハブユニットの何れか一つに接続させる。
【０００９】
また、上記の目的を達するため、本考案によるコンピュータ間データ伝送機能を具備するコンピュータ切換え器は、複数のハブユニットと、少なくとも一つのフラッシュメモリーと、少なくとも一つのデータ伝送制御ユニットと、切換えインターフェイス制御ユニットとを備える。
前記複数のハブユニットは、それぞれアップリンクポート及び複数のダウンリンクポートを有し、前記アップリンクポートはコンピュータシステムに接続され、前記複数のダウンリンクポートは少なくとも一つの第一ダウンリンクポート及び少なくとも一つの第二ダウンリンクポートを含む。
前記少なくとも一つのデータ伝送制御ユニットは、前記複数のハブユニットのうち、任意の２つのハブユニットが有する第一ダウンリンクポートにそれぞれに接続されると共に前記フラッシュメモリーに接続され、データ交換信号に基づき、前記フラッシュメモリーを介して前記２つのハブユニットが接続されているコンピュータシステム間のデータを伝送する。
また、前記切換えインターフェイス制御ユニットは、少なくとも一つの第一共有周辺機器及び前記複数のハブユニットが有する第二ダウンリンクポートに接続され、切換えによって、前記少なくとも一つの第一共有周辺機器を一度に前記複数のハブユニットの何れか一つに接続させる。
【００１０】
これにより、本考案が達する効果は、ユーザーがコンピュータ切換え器を使用して異なるコンピュータシステムを操作する際、絶えず異なるコンピュータシステムを切換える必要がなく、且つ単一のコンピュータだけで操作でき、しかも、コンピュータ間のデータ伝送も行え、コンピュータ切換え器が更に実用性及び利便性を備えることになる。
【００１１】
本考案の特徴及び技術内容をさらに理解するため、以下の本考案の詳細説明と添付図を参考されたい。しかし、添付図は参考と説明に提供するだけであり、本考案に制限を加えるものではない。
【考案を実施するための最良の形態】
【００１２】
本考案は主としてコンピュータ切換え器の構造に、ハブチップ及びデータ伝送チップを加えることにより、即時に複数のコンピュータ間のデータ伝送を実現するという目的を達する。これにより、ユーザーがコンピュータ切換え器を使用する際、頻繁な切換えによって各コンピュータ間のデータ伝送をする必要がなくなり、さらに進行中の作業が中断または影響を受けることを回避でき、直接且つ即時にデータの伝送を完結できる。
【００１３】
既知のように、コンピュータ切換え器がサポートするポート数は、つまりは接続サポートできるコンピュータシステム数である。設計上、本考案ではコンピュータ切換え器のサポートするポート数に制限されることはないが、説明の便宜上、以下の実施例はすべて２ポートによる説明で進める。
【００１４】
図２に、本考案のコンピュータ間データ伝送機能を有するコンピュータ切換え器の第一実施形態のブロック図を示す。図に示すように、本実施形態は、第一ハブユニット１０１、第二ハブユニット１０２、データ伝送制御ユニット１０３、切換えインターフェイスユニット１０４、及び切換えユニット１０５を備えるコンピュータ切換え器１０を備える。ハブユニットの数は本実施形態のコンピュータ切換え器１０がサポートするポート数を表している。
また、データ伝送制御ユニット１０３は、２つのハブユニット間のデータ伝送に使用するように設定されたものであるので、本実施形態では、一つのデータ伝送制御ユニット１０３だけを第一ハブユニット１０１及び第二ハブユニット１０２に接続する設定とする。
【００１５】
第一ハブユニット１０１及び第二ハブユニット１０２は、ＵＳＢ規格の設計を採用し、アップリンクポート１０１０，１０２０及び複数のダウンリンクポートを有している。第一ハブユニット１０１及び第二ハブユニット１０２は、それぞれ自身のアップリンクポート１０１０及び１０２０によって第一コンピュータシステム２１及び第二コンピュータシステム２２に接続される。ここでダウンリンクポートは広くダウンリンク端周辺機器の接続ポートに接続するハブユニットを指す。
本考案は接続進行の説明の便宜上、第一ハブユニット１０１及び第二ハブユニット１０２中のダウンリンクポートをさらに区分する。即ち、少なくとも一つの第一ダウンリンクポート１０１１および１０２１、少なくとも一つの第二ダウンリンクポート１０１２及び１０２２、さらに少なくとも一つの第一ダウンリンクポート１０１３および１０２３を含むように分ける。
【００１６】
上記データ伝送制御ユニット１０３は、第一ハブユニット１０１及び第二ハブユニット１０２の第一ダウンリンクポート１０１１および１０２１に接続する。さらに、データ伝送制御ユニット１０３はデータ交換信号によって第一ハブユニット１０１が接続されているコンピュータシステム２１及び第二ハブユニットが接続されているコンピュータシステム２２間のデータを伝送する。
【００１７】
また、データ伝送制御ユニット１０３は、第一ハブユニット１０１及び第二ハブユニット１０２にとって共にダウンリンク端周辺機器に属し、且つホスト端に接続しているコンピュータシステム２１及びコンピュータシステム２２に従属している。よって、データ伝送制御ユニット１０３は設定上、例えばマイクロソフト（登録商標）が制定するユーザー定義の類別企画（Ｕｓｅｒ  Ｄｅｆｉｎｅｄ  Ｃｌａｓｓ）を採用されており、プロトコルの企画によるいわゆるホストｔｏホスト（Ｈｏｓｔ−ｔｏ−Ｈｏｓｔ）による接続により伝送を行う。
さらに、本考案のデータ伝送制御ユニットによる第一実施形態のブロック図である図３では、データ伝送制御ユニット１０３はさらに第一ＵＳＢコントローラー１０３１及び第二ＵＳＢコントローラー１０３２及びバッファユニット１０３３を含む。第一ＵＳＢコントローラー１０３１は第一ハブユニット１０１に接続し、当該第一ハブユニット１０１を通して第一コンピュータシステム２１と認識を完了し接続することでデータ伝送を行う。そして、第二ＵＳＢコントローラー１０３２は第二ハブユニット１０２に接続し、当該第二ハブユニット１０２を通して第二コンピュータシステム２２と認識を完了し接続することでデータ伝送を行う。最後に、バッファユニット１０３３は第一ＵＳＢコントローラー１０３１及び第二ＵＳＢコントローラー１０３２の間に接続され、バッファ伝送で第一コンピュータシステム２１及び第二コンピュータシステム２２間のデータ伝送をする。こうして、データ伝送制御ユニット１０３はプロトコル規定標準の下、直接、データ交換信号によりデータ伝送を行う。
【００１８】
コンピュータシステム２１及びコンピュータシステム２２はそれぞれ操作インターフェイス２１０及び２２０を具備してもよい。操作インターフェイス２１０又は２２０のどちらでも上記データ交換信号を発生し、対応するデータ伝送制御ユニット１０３に提供することができる。実際の操作では、ユーザーは、単独に、第一コンピュータシステム２１で属している操作インターフェイス２１０を操作するか、あるいは第二コンピュータシステム２２で属している操作インターフェイス２２０を操作するだけで、第一コンピュータシステム２１及び第二コンピュータシステム２２相互間のデータ交換及び伝送を制御することができる。
【００１９】
もちろん、コンピュータ切換え器１０を２ポート以上の設計とする場合、ユーザーがコンピュータシステム上の操作インターフェイスを操作する際、まずユーザーが操作インターフェイスを選択することにより、現在のコンピュータシステムが他のどのコンピュータシステムとデータ伝送を行うかを選択指定する。そして、選択接続完了後、ユーザーは前記操作インターフェイスを操作することにより、データ交換信号を発生する。
【００２０】
続いて、コンピュータ切換え器１０の切換えインターフェイス制御ユニット１０４の一端は第一ハブユニット１０１と第二ハブユニット１０２の第二ダウンリンクポート１０１２及び１０２２に接続する。且つ切換えによって同時に第一共有周辺機器３１を第一ハブユニット１０１又は第二ハブユニット１０２に接続する。ここで記載している第一共有周辺機器３１は例えばキーボード、マウス等の入力装置であって、ユーザーが第一コンピュータシステム２１及び第二コンピュータシステム２２を操作する際、切換えて共有できるようにする。
【００２１】
当該技術分野の通常の技術者なら理解できるように、切換えインターフェイス制御ユニット１０４が３つの第一共有周辺機器３１の接続をサポートできるようにする際、設定上、第一ハブユニット１０１及び第二ハブユニット１０２はそれぞれ、３つの第二ダウンリンクポート１０１２及び１０２２を設定することにより、切換えインターフェイス制御ユニット１０４に接続する。
また、上記説明のように、切換えインターフェイス制御ユニット１０４の切換えについて、ユーザーはキーボードのホットキーやコンピュータ切換え器１０に設定されているボタン（図なし）によって、操作したいコンピュータシステムの切換え選択を行う。
【００２２】
参考として、第一共有周辺機器３１のインターフェイスは、例えばＵＳＢインターフェイスやＰＳ／２インターフェイスにすることができ、また、ＰＳ／２インターフェイスをＵＳＢインターフェイスの信号規格に変換できるように切換えインターフェイス制御ユニット１０４に変換ユニット（図なし）を設けてもよい。これは本考案に制限を加えるものではない。
【００２３】
さらに、コンピュータ切換え器１０の切換えユニット１０５の一端は少なくとも一つの第二共有周辺機器３２に接続し、他端は第一コンピュータシステム２１及び第二コンピュータシステム２２に直接に接続する。且つ切換えインターフェイス制御ユニット１０４の切換え制御により、第二共有周辺機器３２を第一コンピュータシステム２１若しくは第二コンピュータシステム２２の何れか一つに切換えて接続する。第二共有周辺機器３２は、例えば、ディスプレイ、アンプ及びマイク等の出力装置であり、ユーザーが第一コンピュータシステム２１及び第二コンピュータシステム２２を操作する際、共有して切換えることができる。また、切換えユニット１０５は切換えインターフェイス制御ユニット１０４の制御により対応する切換えを行うので、つまり、切換えインターフェイス制御ユニット１０４が第一ハブユニット１０１に切換え接続されて、第一コンピュータシステム２１に接続する場合、切換えユニット１０５はそれに対応して切換えて第一コンピュータシステム２１に接続する。
【００２４】
ところで、本実施例の第一ハブユニット１０１及び第二ハブユニット１０２が提供した第三ダウンリンクポート１０１３及び１０２３は、ＵＳＢ周辺機器３３及び３４（例：プリンタ、ＭＰ３プレーヤー等）が接続できるために普通のＵＳＢ接続ポートに作成した。当然、第一ハブユニット１０１及び第二ハブユニット１０２が更に多くの第三ダウンリンクポート１０１３及び１０２３を提供できれば、接続できるＵＳＢ周辺機器３３，３４もさらに増える。
【００２５】
第三ダウンリンクポート１０１３及び１０２３の切換えは切換えインターフェイス制御ユニット１０４によるものではなく、それぞれ第一ハブユニット１０１及び第二ハブユニット１０２によって直接外部に提供される。よって、第三ダウンリンクポート１０１３及び１０２３はそれぞれ第一コンピュータシステム２１及び第二コンピュータシステム２２の延長接続ポートとして使用され、接続されるＵＳＢ周辺機器３３，３４は独自に第一コンピュータシステム２１及び第二コンピュータシステム２２と作動する。上記説明のように、複数のコンピュータの間のデータ即時伝送機能を含むコンピュータ切換え器１０が実現する。
【００２６】
続いて、図４及び図５に、本考案による複数のコンピュータ間データ伝送機能を具備するコンピュータ切換え器とデータ伝送制御ユニットの第二実施形態のブロック図を示す。
図４に示すように、本実施形態のコンピュータ切換え器１０の構造は、第一実施形態と概ね同様であるが、主な相違点は、コンピュータ切換え器にフラッシュメモリー１０６が増設され、且つデータ伝送制御ユニット１０３’の設定に相違があることである。これにより、第一コンピュータシステム２１と第二コンピュータシステム２２の間で、プロトコルの規定で直接にデータの伝送を行うのではなく、単純にフラッシュメモリー１０６によりデータの一時保存及び交換作業を行い、データ伝送を完了する。
【００２７】
データ伝送制御ユニット１０３’は第一ハブユニット１０１及び第二ハブユニット１０２の第一ダウンリンクポート１０１１及び１０２１に接続され、且つフラッシュメモリー１０６と合わせて接続される。データ交換信号が発生されると、フラッシュメモリー１０６の一時保存により、第一ハブユニット１０１及び第二ハブユニット１０２の間のデータ交換が行う。
【００２８】
図５に示すように、本実施形態のデータ伝送制御ユニット１０３’は第一トランシーバー１０３４、第二トランシーバー１０３５及びマイクロプロセッサーユニット１０３６を含む。当該技術分野の通常の技術者なら理解できるように、トランシーバー（ＵＳＢ  ２．０  Ｔｒａｎｓｃｅｉｖｅｒ  Ｍｉｃｒｏｃｅｌｌ  Ｉｎｔｅｒｆａｃｅ，ＵＴＭＩ）は、ＵＳＢのプロトコルと信号の処理を行い、例えば、データのシリアライズ、データのデシリアライズ、ビットスタッフィング、クロックリカバリおよびシンクロなどのＵＳＢインターフェイスの規格による処理である。
【００２９】
本実施例には、それぞれ第一コンピュータシステム２１及び第二コンピュータシステム２２に接続されるための第一トランシーバー１０３４及び第二トランシーバー１０３５を設定することが必要である。第一トランシーバー１０３４は第一ハブユニット１０１に接続し、第一ハブユニット１０１を介して第一コンピュータシステム２１との確認及び接続を完了する。第二トランシーバー１０３５は第二ハブユニット１０２に接続し、第二ハブユニット１０２を介して第二コンピュータシステム２２との確認及び接続を完了する。
マイクロプロセッサーユニット１０３６は第一トランシーバー１０３４及び第二トランシーバー１０３５の動作を制御し、且つフラッシュメモリー１０６によりデータの一時保存及び交換処理を行うことで第一コンピュータシステム２１及び第二コンピュータシステムの間のデータ伝送を完了する。こうして、第二実施例の設定によると、コンピュータ間のデータ即時伝送機能を具備するコンピュータ切換え器１０が実現する。
【００３０】
図６には本考案による操作インターフェイスの応用実施形態の概略図を示す。本実施形態による操作インターフェイス２１０は、例えば、ユーザーが第一コンピュータシステム２１で操作するインターフェイスである。図に示すように、第一コンピュータシステム２１と第二コンピュータシステム２２がコンピュータ切換え器１０におけるデータ伝送制御ユニット１０３または１０３’を通して接続すると、操作インターフェイス２１０の上部にはユーザーが操作中の第一コンピュータシステム２１のファイル管理画面を表示し、また、操作インターフェイス２１０の下部にはコンピュータ切換え器１０のもう一台のコンピュータシステム（例えば第二コンピュータシステム２２）のファイル管理画面を表示する。
【００３１】
こうして、ユーザーが操作インターフェイス２１０の上、下部についてファイルのドラッグ、コピー、ペースト又は削除等の操作をする際、操作インターフェイス２０はデータ交換信号を発生する。これにより、第一コンピュータシステム２１及び第二コンピュータシステム２２間のデータ交換及び伝送が行われる。
【００３２】
上記したように、本考案は、コンピュータ切換え器において、ハブユニット及びデータ伝送制御ユニットのハード設定に加え、プログラムインターフェイスの使用を組み合わせる。ユーザーがコンピュータ切換え器を介して複数のコンピュータシステムを接続する際、単一のコンピュータで操作するだけで、異なるコンピュータの間のデータを即時に伝送することができ、絶えず異なるコンピュータシステムを切り替えずに済む。コンピュータ切換え器が更に実用性及び利便性を備えることになる。
【００３３】
上述のことは、本考案の具体的な実施形態の詳細説明しているだけであり、本考案に制限を加えるものではない。本考案の範囲は特許請求の範囲を基準とする。当業者であれば、請求の範囲が添付の請求項で規定されている本発明の原理と要旨から逸脱することなく本実施形態の変更を行うことができることを正しく理解されたい。
【図面の簡単な説明】
【００３４】
【図１】従来技術のコンピュータ切換え器の応用概略図である。
【図２】本考案の複数のコンピュータ間データ伝送機能を具備するコンピュータ切換え器の第一実施形態のブロック図である。
【図３】本考案のデータ伝送制御ユニットの第一実施形態のブロック図である。
【図４】本考案の複数のコンピュータ間データ伝送機能を具備するコンピュータ切換え器の第二実施形態のブロック図である。
【図５】本考案のデータ伝送制御ユニットの第二実施形態のブロック図である。
【図６】本考案による操作インターフェイスの応用実施形態の概略図である。
【符号の説明】
【００３５】
１０・・・・・・・・・・・コンピュータ切換え器
１０１・・・・・・・・・・第一ハブユニット  
１０２・・・・・・・・・・第二ハブユニット  
１０１０，１０２０・・・・アップリンクポート  
１０１１，１０２１・・・・第一ダウンリンクポート  
１０１２，１０２２・・・・第二ダウンリンクポート  
１０１３，１０２３・・・・第三ダウンリンクポート  
１０３，１０３’・・・・・データ伝送制御ユニット  
１０３１・・・・・・・・・第一ＵＳＢ制御ユニット
１０３２・・・・・・・・・第二ＵＳＢ制御ユニット
１０３３・・・・・・・・・バッファユニット
１０３４・・・・・・・・・第一トランシーバー
１０３５・・・・・・・・・第二トランシーバー
１０３６・・・・・・・・・マイクロプロセッサーユニット
１０４・・・・・・・・・・切換えインターフェイス制御ユニット  
１０５・・・・・・・・・・切換えユニット  
２１・・・・・・・・・・・第一コンピュータシステム  
２２・・・・・・・・・・・第二コンピュータシステム  
２１０，２２０・・・・・・操作インターフェイス  
３１・・・・・・・・・・・第一共有周辺機器  
３２・・・・・・・・・・・第二共有周辺機器  
３３，３４・・・・・・・・ＵＳＢ周辺機器  
【図１】
0003144737.tif 000003
【図２】
0003144737.tif 000004
【図３】
0003144737.tif 000005
【図４】
0003144737.tif 000006
【図５】
0003144737.tif 000007
【図６】
0003144737.tif 000008